(57)【要約】【課題】施療子自体が温かいマッサージ機を提供する。【解決手段】揉み玉２３が固定される固定軸２４には、揉み玉２３を通過する磁場を変化させるための複数の送電側コイル３０ａ〜３０ｄが設けられ、その送電側コイル３０ａ〜３０ｄに通電される電流は、制御部によって個別に制御される。また、揉み玉２３（押圧部３２）は、導電体が混入された弾性体よりなる。これにより、揉み玉２３自体が磁場の変化に基づき発熱する発熱手段として構成され、送電側コイル３０ａ〜３０ｄへの通電により生じる揉み玉２３の磁場変化によって揉み玉２３が温められる。【選択図】図３
2013126456.tif 000002
【特許請求の範囲】
【請求項１】
施療子を動作させて使用者の身体に押圧力を付与するマッサージ機において、
前記施療子を支持する支持部材には、前記施療子を通過する磁場を変化させるための複数のコイルが設けられ、
複数の前記コイルに通電する電流を個別に制御するための制御部を有し、
前記施療子は、磁場の変化に基づき発熱する発熱手段を備え、
前記コイルへの通電により生じる前記施療子の磁場変化によって前記発熱手段を発熱させて前記施療子を温めることを特徴とするマッサージ機。
【請求項２】
請求項１に記載のマッサージ機において、
前記施療子は、導電性を有する弾性体よりなることを特徴とするマッサージ機。
【請求項３】
請求項１又は２に記載のマッサージ機において、
前記支持部材は、前記施療子に挿入された軸形状をなし、
複数の前記コイルは、前記支持部材の周方向に並設されていることを特徴とするマッサージ機。
【請求項４】
請求項１〜３のいずれか１項に記載のマッサージ機において、
前記支持部材は、前記施療子に挿入された軸形状をなし、
複数の前記コイルは、前記支持部材の軸方向に並設されていることを特徴とするマッサージ機。
【請求項５】
請求項１〜４のいずれか１項に記載のマッサージ機において、
前記施療子は、前記支持部材により回転可能に支持されていることを特徴とするマッサージ機。
【発明の詳細な説明】
【技術分野】
【０００１】
本発明は、使用者の身体を押圧する施療子を備えるマッサージ機に関するものである。
【背景技術】
【０００２】
従来、例えば背もたれ部に施療子としての揉み玉を有するマッサージ機構を組み込んだ椅子型のマッサージ機は、背中のつぼや経絡に揉み玉を当てて所定の動作をさせ、血行を促進させることで肩や背中の凝りを解消させるものである。これらのマッサージ機は、従来より提案されており、一般家庭・公的施設等にも多く普及している。
【０００３】
また、近年のマッサージ機では、マッサージ機構に熱源を収容する熱伝達手段を設けることで揉み玉の押圧動作によるマッサージに加えて温熱療法を行うものが開発されている（例えば特許文献１参照）。
【先行技術文献】
【特許文献】
【０００４】
【特許文献１】特開２０１１−６２４４８号公報
【発明の概要】
【発明が解決しようとする課題】
【０００５】
しかしながら、このマッサージ機では、揉み玉が取り付けられるケース等を温めてそのケースを押し当てることにより身体を温めるように構成されており、揉み玉の押圧部が直接温かくなるものではなかった。このため、温めた箇所をマッサージするわけではなく、温めた箇所の周りをマッサージすることとなり、温めながらマッサージする際と比較してマッサージ効果が劣っていた。つまり、このマッサージ機では、温かい人間の手でマッサージする際のマッサージ効果と、同等のマッサージ効果を得られるものではなかった。
【０００６】
本発明は、上記課題を解決するためになされたものであって、その目的は、施療子自体が温かいマッサージ機を提供することにある。
【課題を解決するための手段】
【０００７】
上記課題を解決するために、本発明のマッサージ機は、施療子を動作させて使用者の身体に押圧力を付与するマッサージ機において、前記施療子を支持する支持部材には、前記施療子を通過する磁場を変化させるための複数のコイルが設けられ、複数の前記コイルに通電する電流を個別に制御するための制御部を有し、前記施療子は、磁場の変化に基づき発熱する発熱手段を備え、前記コイルへの通電により生じる前記施療子の磁場変化によって前記発熱手段を発熱させて前記施療子を温めることを特徴とする。
【０００８】
上記構成において、前記施療子は、導電性を有する弾性体よりなることが望ましい。
上記構成において、前記支持部材は、前記施療子に挿入された軸形状をなし、複数の前記コイルは、前記支持部材の周方向に並設されていることが望ましい。
【０００９】
上記構成において、前記支持部材は、前記施療子に挿入された軸形状をなし、複数の前記コイルは、前記支持部材の軸方向に並設されていることが望ましい。
上記構成において、前記施療子は、前記支持部材により回転可能に支持されていることが望ましい。
【発明の効果】
【００１０】
本発明によれば、施療子自体が温かいマッサージ機を提供することができる。
【図面の簡単な説明】
【００１１】
【図１】第１実施形態のマッサージ機の概略構成を示す斜視図。
【図２】第１実施形態のマッサージ機の電気的構成を示すブロック図。
【図３】（ａ）（ｂ）第１実施形態の施療装置の断面構造を模式的に示す断面図。
【図４】（ａ）（ｂ）第１実施形態の施療装置の温熱作用を説明するための模式図。
【図５】施療装置による施療態様を模式的に示す側面図。
【図６】第１実施形態の施療装置の温熱作用を説明するための模式図。
【図７】第２実施形態の施療装置の断面構造を模式的に示す断面図。
【図８】第２実施形態の施療装置の断面構造を模式的に示す断面図。
【図９】第２実施形態の施療装置の温熱作用を説明するための模式図。
【図１０】第３実施形態の施療装置の断面構造を模式的に示す断面図。
【図１１】第３実施形態の施療装置の断面構造を模式的に示す断面図。
【図１２】第３実施形態の施療装置の温熱作用を説明するための模式図。
【図１３】第４実施形態の施療装置の断面構造を模式的に示す断面図。
【図１４】第４実施形態の施療装置の断面構造を模式的に示す断面図。
【図１５】第４実施形態の施療装置の温熱作用を説明するための模式図。
【発明を実施するための形態】
【００１２】
（第１実施形態）
図１を参照して、本実施形態のマッサージ機１０の全体構成について説明する。なお、マッサージ機１０の正面視かつ幅方向を幅方向Ｘとする。また、背もたれ部１３の正面視かつ高さ方向を上下方向Ｙとする。
【００１３】
図１に示すように、マッサージ機１０の脚部１１は図示しない床面に載置されるとともに、その脚部１１の上部には使用者が着座可能な座部１２が固定されている。その座部１２の後部には、使用者が背中をもたれ掛けさせるための背もたれ部１３が傾動可能に設けられるとともに、座部１２の前部には使用者の脚を載せることができるオットマン１４が傾動可能に設けられている。また、使用者の腕を置くための肘掛け部１５が背もたれ部１３から座部１２の両側前方にかけて設けられている。また、背もたれ部１３の側面には使用者によるマッサージ機１０の各部を操作可能なコントローラ１６が設けられている。
【００１４】
背もたれ部１３は、背もたれ部本体１３ａと、この背もたれ部本体１３ａの前面を覆うカバー部１３ｂとで構成される。背もたれ部本体１３ａは、前面が開口された硬質樹脂材料からなる図示しない本体ケース内に、背もたれ部１３の上下方向に沿って図示しないガイドレールが設けられる。そして、背もたれ部本体１３ａには、このガイドレールに沿って上下方向に移動可能にマッサージ機構２０が組み付けられている。マッサージ機構２０には、図示しない各種駆動モータが備えられるとともに、これら各種駆動モータの駆動によってマッサージ機構２０の上下動や、このマッサージ機構２０に備えられる一対の施療装置２１による所定の施療動作が行われるようになっている。
【００１５】
マッサージ機１０は、使用者による操作が可能なコントローラ１６を備えている。また、マッサージ機１０は、図２に示すように、制御部１７を備えている。コントローラ１６は、使用者の操作に基づく操作信号を制御部１７に出力し、制御部１７は、制御部１７はコントローラ１６からの操作信号に基づいてマッサージ機構２０の上下動や施療動作を制御する。
【００１６】
図３（ａ）（ｂ）に示すように、一対の施療装置２１（１つのみ図示）は、それぞれアーム２２と、アーム２２に取付けられ、身体をマッサージする施療子としての揉み玉２３とを有している。詳しく説明すると、アーム２２の先端には、幅方向Ｘの内側に向かって円柱状の固定軸２４が突出するように設けられている。この固定軸２４に揉み玉２３が回転可能に固定されている。具体的には、固定軸２４には、揉み玉２３の幅方向外側への移動を規制する第１軸受２５と、揉み玉２３の幅方向内側への移動を規制する第２軸受２６が取り付けられる。そして、固定軸２４には、幅方向Ｘにおいて、外側から順番に第１軸受２５、揉み玉２３、第２軸受２６が配置され、ネジなどにより第２軸受２６が固定軸２４に固定される。これにより、第１軸受２５及び第２軸受２６は、揉み玉２３が幅方向Ｘにおいて位置がずれないように揉み玉２３を挟持する。すなわち、揉み玉２３は、幅方向への移動が規制されると共に、回転可能に固定軸２４に固定される。
【００１７】
また、固定軸２４は、第１軸受２５及び第２軸受２６の幅方向内側にそれぞれ設けられた円板状のフランジ部２４ａと、フランジ部２４ａ間に架設された４つの支持部２４ｂ（図３（ａ）では２つのみ図示）とを備えている。支持部２４ｂは、固定軸２４の周方向等間隔（本実施形態では９０度間隔）に設けられている。４つの支持部２４ｂには、４つの送電側コイル３０ａ，３０ｂ，３０ｃ，３０ｄがそれぞれ支持されている（図３（ａ）では送電側コイル３０ａ，３０ｃのみ図示）。この支持部２４ｂ及び送電側コイル３０ａ〜３０ｄは、揉み玉２３の内側に配置されている。
【００１８】
４つの送電側コイル３０ａ〜３０ｄは、固定軸２４の周方向において等間隔に設けられている。また、固定軸２４の中心軸線から各送電側コイル３０ａ〜３０ｄの中心軸線までの距離は等しく設定されている。すなわち、固定軸２４の径方向において、各送電側コイル３０ａ〜３０ｄから揉み玉２３までの距離は等しくなっている。なお、各送電側コイル３０ａ〜３０ｄの幅方向Ｘの長さ及び巻数は等しく設定されている。各送電側コイル３０ａ〜３０ｄは、図示しない電源と接続されており、それぞれ個別に交流電流が流れるようになっている。制御部１７は、コントローラ１６からの操作信号に基づき、送電側コイル３０ａ〜３０ｄに通電する交流電流を個別に制御する。
【００１９】
揉み玉２３は、円筒形状に形成されている取付部３１と、取付部３１の外周を覆うように円筒形状に形成されている押圧部３２により構成されている。取付部３１は、非導電体であり、かつ、非弾性体の樹脂などで形成されている。押圧部３２は、その内径が取付部３１の外径と同じとなるように形成されており、接着などにより固定されている。そして、押圧部３２は、カーボンブラックや鉄粉、銀粉などの導電体が混入されたゴムなどの弾性体により構成されている。つまり、本実施形態において、押圧部３２は、導電性を有している。なお、押圧部３２の外周面には、弾性体のみで構成されていることが好ましい。そして、押圧部３２は、送電側コイル３０ａ〜３０ｄに交流電流が流された際、送電側コイル３０ａ〜３０ｄにより変化される磁場（磁束）が通過する位置に配置されている。なお、図３（ａ）（ｂ）では、導電体の粒子を白丸「○」にて模式的に図示している。
【００２０】
次に、施療装置２１の作用について説明する。
コントローラ１６が操作されて操作信号が制御部１７に出力されると、制御部１７はマッサージ機構２０を動作させて施療装置２１に施療動作をさせる。このとき、例えば、施療装置２１が使用者の肩を施療する場合には、制御部１７は、図４（ｂ）に示すように、押圧部３２の肩と接触する箇所を部分的に温めるべく、４つの送電側コイル３０ａ〜３０ｄのうちの２つの送電側コイル３０ａ，３０ｂに交流電流を通電させる。送電側コイル３０ａ，３０ｂに交流電流が流れると、送電側コイル３０ａ，３０ｂを通過する磁束密度（磁場）が変化する（図４（ａ）参照）。すなわち、押圧部３２において送電側コイル３０ａ，３０ｂ側の部位を通過する磁束密度（磁場）が変化する。すると、押圧部３２の送電側コイル３０ａ，３０ｂ側の部位の内部で、混入された導電体に渦電流が発生し、電気抵抗によるジュール熱が発生する。これにより、図４（ｂ）に示すように、押圧部３２の送電側コイル３０ａ，３０ｂ側の部位が自己発熱する。そして、この押圧部３２の発熱部位で使用者の肩が施療されると、マッサージ効果及び温熱効果を使用者に与えることができるようになっている。
【００２１】
次に、背中などの比較的広い箇所を施療装置２１が施療する場合について説明する。この場合、制御部１７は、図５に示すように、マッサージ機構２０を背中に沿って上下方向Ｙに動作させるとともに、施療装置２１に施療動作をさせる。このとき、揉み玉２３は施療箇所との摩擦によって固定軸２４の周方向に回転し、使用者の背中を転がるような施療動作となる。
【００２２】
ここで、コントローラ１６には、０（ＯＦＦ）から４までの五段階の温度設定を選択可能な温度調節ボタン（図示略）が備えられており、例えば温度設定「２」が選択されている場合、制御部１７は、４つの送電側コイル３０ａ〜３０ｄのうちの２つの送電側コイル３０ａ，３０ｂに交流電流を通電させる。すると、前述のように、磁場変化の作用によって押圧部３２の送電側コイル３０ａ，３０ｂ側の部位が自己発熱する。この押圧部３２が部分的に温められた状態（発熱初期の段階）で、押圧部３２が背中を転がると、押圧部３２の発熱部分と非発熱部分とが背中に交互に接触することとなる。これにより、温度変化を使用者に感じさせることができ、その温度変化が刺激となって温熱療法の効果向上に寄与できるようになっている。
【００２３】
この背中への施療動作では、施療装置２１で回転するのは揉み玉２３のみで、固定軸２４及び各送電側コイル３０ａ〜３０ｄは回転しない。そのため、上記の背中への施療動作がしばらく継続されると、送電側コイル３０ａ〜３０ｄに対する揉み玉２３の回転位置の変化によって、図６に示すように、押圧部３２が周方向全体に亘って温められる。すなわち、押圧部３２の温度が周方向に平均化される。
【００２４】
この平均化されたときの押圧部３２の温度は、通電される送電側コイル３０ａ〜３０ｄの個数によって変化する。つまり、制御部１７は、コントローラ１６の温度調節ボタンの操作に基づき、通電する送電側コイル３０ａ〜３０ｄの個数を変える。本実施形態では、通電する送電側コイル３０ａ〜３０ｄの個数は、温度設定「１」のとき１つ、温度設定「２」のとき２つ、温度設定「３」のとき３つ、そして、温度設定「４」のとき４つとなっている。また、温度設定「０」（ＯＦＦ）の場合には、制御部１７は、送電側コイル３０ａ〜３０ｄに通電しないように制御する。
【００２５】
次に、本実施形態の特徴的な効果を記載する。
（１）揉み玉２３を支持する固定軸２４には、揉み玉２３を通過する磁場を変化させるための送電側コイル３０ａ〜３０ｄが設けられる。揉み玉２３（押圧部３２）は、導電体が混入された弾性体よりなる。これにより、揉み玉２３自体が磁場の変化に基づき発熱する発熱手段として構成され、送電側コイル３０ａ〜３０ｄへの通電により生じる揉み玉２３の磁場変化によって揉み玉２３が直接的に温められる。そして、この状態で、マッサージ機構２０を動作させることにより、温められた揉み玉２３で使用者の身体を押圧（マッサージ）することができる。このように、揉み玉２３自体を温めることで、使用者の身体において温める箇所と施療箇所とが一致するため、施療箇所に対して温めながらマッサージすることができ、マッサージ効果を高めることができる。また、人の手で温めながらマッサージするように感じさせることができ、心地よさを一層増加させることができる。
【００２６】
また、揉み玉２３を通過する磁場を変化させるための送電側コイル３０ａ〜３０ｄは複数設けられ、その送電側コイル３０ａ〜３０ｄに通電される電流は、制御部１７によって個別に制御される。このため、複数の送電側コイル３０ａ〜３０ｄに選択的に通電することで揉み玉２３を部分的に温めたり、またはコイル３０ａ〜３０ｄ毎に通電する電流値を異ならせることで揉み玉２３に温度勾配をもたせたり、また、各送電側コイル３０ａ〜３０ｄに通電して揉み玉２３全体を温めたりといった揉み玉２３の多様な温め方が可能となる。
【００２７】
（２）揉み玉２３（押圧部３２）は、導電性を有する弾性体よりなる。これにより、揉み玉２３を弾性体とすることで施療箇所に対する押圧力を適切なものとしつつも、揉み玉２３自体に導電性をもたせることで揉み玉２３を自己発熱させることができる。このように、揉み玉２３を自己発熱させることで、送電側コイル３０ａ〜３０ｄの通電から揉み玉２３が温まるまでの時間を少なく抑えることが可能となるため、揉み玉２３の温度制御が容易となる。
【００２８】
（３）支持部材としての固定軸２４は揉み玉２３に挿入された軸形状をなし、複数の送電側コイル３０ａ〜３０ｄは固定軸２４の周方向に沿って並設される。これにより、揉み玉２３を周方向（回転方向）において部分的に温めることが可能となる。このため、例えば、使用者の肩を施療する場合に、揉み玉２３の肩と接触する部位のみを部分的に温めるように送電側コイル３０ａ〜３０ｄの通電制御を行うことで、消費電力を少なく抑えることが可能となり、省電力化に貢献できる。
【００２９】
（４）揉み玉２３は、固定軸２４により回転可能に支持されるため、揉み玉２３を使用者の身体に当接させた状態でマッサージ機構２０を上下移動させることで、揉み玉２３が身体に沿って転がるようにすることができる。
【００３０】
（５）揉み玉２３が固定軸２４に回転可能に支持された構成に併せて、本実施形態では、複数の送電側コイル３０ａ〜３０ｄが固定軸２４の周方向に沿って並設される。これにより、揉み玉２３が周方向において部分的に温かい状態では、揉み玉２３の発熱部分と非発熱部分とが使用者の身体に交互に当接することとなる。このため、温度変化を使用者に感じさせることができ、その温度変化が刺激となって温熱療法の効果向上に寄与できる。
【００３１】
また、揉み玉２３の回転状態がしばらく続くと、揉み玉２３の温度が周方向に平均化され、その結果、揉み玉２３が周方向全体に温められる。つまり、揉み玉２３の回転を利用することで、揉み玉２３を周方向全体に温めることが可能となる。これにより、送電側コイル３０ａ〜３０ｄに通電する電流値を制御するといった複雑な制御を制御部１７にさせることなく、通電する送電側コイル３０ａ〜３０ｄの個数の制御によって周方向全体に温まる揉み玉２３の温度を変化させることができる。
【００３２】
（第２実施形態）
以下、本発明を具体化した第２実施形態を説明する。なお、以下に説明する実施形態では、既に説明した第１実施形態と同一構成について同一符号を付すなどして、その重複する説明を省略又は簡略する。
【００３３】
本実施形態の揉み玉４１は、図７及び図８に示すように、円筒形状に形成されている熱源部４２と、熱源部４２の外周を覆うように円筒形状に形成されている押圧部４３により構成されている。熱源部４２は、鉄などの導電体により構成されている。また、熱源部４２は、その内径が固定軸２４の外径よりも大きく形成され、送電側コイル３０ａ〜３０ｄの外周を覆うように構成されている。この熱源部４２は、送電側コイル３０ａ〜３０ｄに交流電流が流された際、送電側コイル３０ａ〜３０ｄにより変化される磁場（磁束）が通過する位置に配置されている。
【００３４】
一方、押圧部４３は、その内径が熱源部４２の外径と同じとなるように形成されており、ゴムなどの弾性体により構成されている。そして、押圧部４３は、熱源部４２の外径に密接した状態で接着固定されており、熱源部４２から熱が伝わるように構成されている。なお、本実施形態において、押圧部４３は、非導電体となっている。
【００３５】
次に、本実施形態の揉み玉４１の作用について図９に基づき説明する。
制御部１７の制御に基づき送電側コイル３０ａ〜３０ｄに交流電流が流れると、熱源部４２を通過する磁束密度（磁場）が変化する。これにより、熱源部４２の中で、渦電流が発生し、電気抵抗によるジュール熱が発生する。すなわち、金属製の熱源部４２が、自己発熱する。熱源部４２が発熱すると、それが押圧部４３に伝わり、揉み玉４１が温かくなる。送電側コイル３０ａ〜３０ｄに対する通電制御については、上記第１実施形態と同様である。本実施形態によっても、第１実施形態とほぼ同様の効果を得ることができる。なお、この例では、熱源部４２が円筒形状（固定軸２４の周方向において連続する形状）をなしているが、特にこれに限定されるものではない。例えば、４つの送電側コイル３０ａ〜３０ｄとそれぞれ対をなすように４分割された構成としてもよい。
【００３６】
（第３実施形態）
以下、本発明を具体化した第３実施形態を説明する。なお、以下に説明する実施形態では、既に説明した第１実施形態と同一構成について同一符号を付すなどして、その重複する説明を省略又は簡略する。
【００３７】
本実施形態の揉み玉５１は、図１０及び図１１に示すように、円筒形状に形成されている熱源部５２と、熱源部５２を覆うように円筒形状に形成されている押圧部５３により構成されている。熱源部５２は、その内径が固定軸２４の外径よりも大きく形成されており、樹脂などにより構成されている。この熱源部５２には、４つの送電側コイル３０ａ〜３０ｄにそれぞれ対応する４つの発熱部５４が埋設されている。各発熱部５４は、固定軸２４の径方向において各送電側コイル３０ａ〜３０ｄと並ぶように配置されている。
【００３８】
各発熱部５４は、受電側コイル５４ａとその受電側コイル５４ａに接続されたヒータ５４ｂとからなる。ヒータ５４ｂとしては、ＰＴＣ（Positive Temperature Coefficient）ヒータなどが用いられている。受電側コイル５４ａ及びヒータ５４ｂは、熱源部５２において、固定軸２４の周方向にほぼ等間隔となるように配置されている。また、受電側コイル５４ａと送電側コイル３０ａ〜３０ｄとはそれぞれ、固定軸２４の径方向に並んでいる。また、固定軸２４の径方向において、固定軸２４の中心軸線から受電側コイル５４ａまでの距離はいずれも同じに設定されている。また、ヒータ５４ｂは、熱源部５２の外周近辺に配置されている。また、受電側コイル５４ａは、熱源部５２において、送電側コイル３０ａ〜３０ｄに交流電流が流された際、送電側コイル３０ａ〜３０ｄにより変化される磁場（磁束）が通過する位置に配置されている。
【００３９】
押圧部５３は、その内径が熱源部５２の外径よりも大きく形成されており、ゴムなどの弾性体により構成されている。また、熱源部５２の外径に密接した状態で固定されており、熱源部５２から熱が伝わるように構成されている。
【００４０】
次に、本実施形態の施療装置２１の作用について図１２に基づき説明する。
制御部１７の制御に基づき送電側コイル３０ａ〜３０ｄに交流電流が流れると、受電側コイル５４ａを通過する磁束密度（磁場）が変化する。これにより、受電側コイル５４ａに電磁誘導により誘導電流が流れ（誘導起電力が生じ）、ヒータ５４ｂに電流が流れる（電圧が印可される）。従って、ヒータ５４ｂが発熱する。ヒータ５４ｂが発熱すると、熱源部５２が温まり、それが押圧部５３に伝わる。従って、揉み玉５１が温かくなる。送電側コイル３０ａ〜３０ｄに対する通電制御については、上記第１実施形態と同様である。本実施形態によっても、第１実施形態とほぼ同様の効果を得ることができる。
【００４１】
（第４実施形態）
以下、本発明を具体化した第４実施形態を説明する。なお、以下に説明する実施形態では、既に説明した第１実施形態と同一構成について同一符号を付すなどして、その重複する説明を省略又は簡略する。
【００４２】
図１３及び図１４に示すように、固定軸２４のフランジ部２４ａ間には、１つの支持部２４ｃが架設されている。その支持部２４ｃには、２つの送電側コイル６０ａ，６０ｂが固定軸２４の軸方向に並ぶように支持されている。送電側コイル６０ａ，６０ｂは、揉み玉２３の内側に配置されるとともに、送電側コイル６０ａ，６０ｂの中心軸線は、固定軸２４の中心軸線と一致するように構成されている。また、各送電側コイル６０ａ，６０ｂの幅方向Ｘの長さ及び巻数は等しく設定されている。この各送電側コイル６０ａ，６０ｂは、図示しない電源と接続されており、それぞれ個別に交流電流が流れるようになっている。制御部１７は、コントローラ１６からの操作信号に基づき、送電側コイル３０ａ〜３０ｄに通電する交流電流を個別に制御する。
【００４３】
次に、本実施形態の施療装置２１の作用について説明する。
コントローラ１６が操作されて操作信号が制御部１７に出力されると、制御部１７はマッサージ機構２０を動作させて施療装置２１に施療動作をさせる。このとき、例えば、施療装置２１が使用者の首を挟むように施療する場合には、制御部１７は、図１５に示すように、押圧部３２において首と接触する箇所を部分的に温めるべく、２つの送電側コイル６０ａ，６０ｂのうちの幅方向内側の送電側コイル６０ｂに交流電流を通電させる。送電側コイル６０ｂに交流電流が流れると、送電側コイル６０ｂを通過する磁束密度（磁場）が変化する。すなわち、押圧部３２において幅方向内側の部位（送電側コイル６０ｂ側の部位）を通過する磁束密度（磁場）が変化する。すると、押圧部３２の幅方向内側の部位の内部で、混入された導電体に渦電流が発生し、電気抵抗によるジュール熱が発生する。これにより、押圧部３２の幅方向内側の部位が周方向全体に亘って自己発熱する。そして、この押圧部３２の幅方向内側の発熱部位で使用者の首が施療（挟みマッサージ）されると、マッサージ効果及び温熱効果を使用者に与えることができるようになっている。
【００４４】
以上詳述したように、本実施形態は、第１実施形態の効果（１）（２）（４）に加えて、以下の効果を有する。
（６）複数の送電側コイル６０ａ，６０ｂが固定軸２４の軸方向（幅方向Ｘ）に並設されるため、揉み玉２３の幅方向Ｘにおいて温度勾配をつけることが可能となり、その結果、揉み玉２３のより多様な温め方が可能となる。
【００４５】
なお、本発明の各実施形態は、以下のように変更してもよい。
・上記第１実施形態では、送電側コイル３０ａ〜３０ｄが固定軸２４の周方向において等間隔に設けられたが、特にこれに限らず、不等間隔に設けてもよい。
【００４６】
・上記第１実施形態では、通電する送電側コイル３０ａ〜３０ｄの個数を変えることによって揉み玉２３の温度を調節したが、これ以外に例えば、送電側コイル３０ａ〜３０ｄに通電する電流値を変化させることによって揉み玉２３の温度を調節してもよい。
【００４７】
・上記第１実施形態において、揉み玉２３の回転に合わせて送電側コイル３０ａ〜３０ｄに対して固定軸２４の周方向に順に通電させるように制御してもよい。この制御によれば、揉み玉２３の回転時に温度が平均化されず、揉み玉２３が周方向に部分的に温められた状態が回転時においても維持される。
【００４８】
・上記第１実施形態において、各送電側コイル３０ａ〜３０ｄに対して等しい電流値の電流を通電して、押圧部３２全体を温めるように制御してもよい。
・上記第１〜第３実施形態では送電側コイル３０ａ〜３０ｄを４つ、上記第４実施形態では送電側コイル６０ａ，６０ｂを２つ設けたが、これに特に限定されるものではなく、２つ以上であれば構成に応じて適宜変更してもよい。
【００４９】
・上記第１及び第４実施形態において、押圧部３２に混入する導電体の密度を外周側ほど高くしてもよい。この構成によれば、押圧部３２の外周側を温めやすくすることができる。
【００５０】
・上記第１実施形態と上記第４実施形態とを併せた構成、すなわち、複数の送電側コイルが固定軸２４の周方向及び軸方向に並ぶ構成としてもよい。この構成によれば、揉み玉２３のより多様な温め方が可能となる。
【００５１】
・上記第３実施形態において、発熱部５４を押圧部５３に埋め込んでも良い。
・上記第３実施形態では、発熱部５４は送電側コイル３０ａ〜３０ｄにそれぞれ対応して４つ設けられたが、これ以外に例えば、これに特に限定されるものではなく、発熱部５４の個数は適宜変更してもよい。
【００５２】
・上記各実施形態では、押圧部３２（押圧部４３、押圧部５３）は、取付部３１（熱源部４２、熱源部５２）の外周に接着により固定されたが、これ以外に例えば、押圧部３２（押圧部４３、押圧部５３）と取付部３１（熱源部４２、熱源部５２）とを一体成形する構成としてもよい。
【００５３】
・上記各実施形態では、揉み玉２３，４１，５１が固定軸２４によって回転可能に支持される構成としたが、これに特に限定されるものではなく、揉み玉２３，４１，５１を固定軸２４に対して回転不能に固定してもよい。
【００５４】
・上記各実施形態において、押圧部３２，４３，５３は、弾性体でなくてもよい。
・上記各実施形態では、椅子型のマッサージ機を採用したが、ベッド型、ハンディ型、着用型のマッサージ機を採用しても良い。
【符号の説明】
【００５５】
１０…マッサージ機、１７…制御部、２０…マッサージ機構、２１…施療装置、２２…アーム、２３，４１，５１…揉み玉（施療子）、２４…固定軸（支持部材）、３０ａ〜３０ｄ…送電側コイル（コイル）、３２…押圧部（発熱手段）、４２，５２…熱源部（発熱手段）。
【図１】
2013126456.tif 000003
【図２】
2013126456.tif 000004
【図３】
2013126456.tif 000005
【図４】
2013126456.tif 000006
【図５】
2013126456.tif 000007
【図６】
2013126456.tif 000008
【図７】
2013126456.tif 000009
【図８】
2013126456.tif 000010
【図９】
2013126456.tif 000011
【図１０】
2013126456.tif 000012
【図１１】
2013126456.tif 000013
【図１２】
2013126456.tif 000014
【図１３】
2013126456.tif 000015
【図１４】
2013126456.tif 000016
【図１５】
2013126456.tif 000017